(57)【要約】【課題】優れた盗難防止効果を得ることができる自動販売機の盗難防止装置を提供する。【解決手段】バールＣＢによりカバー部２２ｂの一部の外側変形を変形させると、カバー部２２ｂに第１平板部２３ａのみが固定されている係止板２３が定常位置から後方に起立してその係止部２３ｄが被係止部１７ｃの後側に入り込んで係合可能な状態となるように構成されている。つまり、窃盗行為に際してドア２の強制開放するには、ロック機構を破壊する労力に加えて被係止部１７ｃと係止部２３ｄとの係合が解かれるように被係止部１７ｃと係止部２３ｄの何れか一方を破壊する労力が必要となる。【選択図】  図５
2004258753.tif 000002
【特許請求の範囲】
【請求項１】
ドアの一側部がキャビネットの一側部に回転自在に支持されドアの他側部がキャビネットの他側部にロック機構を介してロックされる構造を備える自動販売機に用いられる盗難防止装置であって、
ドアとキャビネットの一方に取り付けられキャビネットとドアのロック機構側の境界を覆うカバー部と、
カバー部の内側に設けられカバー部の外側変形により起立可能な係止板と、
ドアとキャビネットの他方に設けられ起立した係止板に係合可能な被係止部とを有する、
ことを特徴とする自動販売機の盗難防止装置。
【請求項２】
前記係止板は、ロック機構の近傍位置に少なくとも１個設けられている、
ことを特徴とする請求項１に記載の自動販売機の盗難防止装置。
【請求項３】
前記係止板は、一端をカバー部に固定され他端に被係止部に係合可能な係止部を備える、
ことを特徴とする請求項１または２に記載の自動販売機の盗難防止装置。
【請求項４】
前記被係止部は、キャビネットまたはドアの外表面を構成する板材とその内側に配された補強板の少なくとも一方の端縁屈曲部分から成る、
ことを特徴とする請求項１〜３の何れか１項に記載の自動販売機の盗難防止装置。
【請求項５】
ドアの一側部がキャビネットの一側部に回転自在に支持されドアの他側部がキャビネットの他側部にロック機構を介してロックされる構造を備え、ドアの強制開放を妨げ得る盗難防止装置を備えた自動販売機であって、
前記盗難防止装置は、
ドアとキャビネットの一方に取り付けられキャビネットとドアのロック機構側の境界を覆うカバー部と、
カバー部の内側に設けられカバー部の外側変形により起立可能な係止板と、
ドアとキャビネットの他方に設けられ起立した係止板に係合可能な被係止部とを有する、
ことを特徴とする自動販売機。
【請求項６】
前記係止板は、ロック機構の近傍位置に少なくとも１個設けられている、
ことを特徴とする請求項５に記載の自動販売機。
【請求項７】
前記係止板は、一端をカバー部に固定され他端に被係止部に係合可能な係止部を備える、
ことを特徴とする請求項５または６に記載の自動販売機。
【請求項８】
前記被係止部は、キャビネットまたはドアの外表面を構成する板材とその内側に配された補強板の少なくとも一方の端縁屈曲部分から成る、
ことを特徴とする請求項５〜７の何れか１項に記載の自動販売機。
【発明の詳細な説明】
【０００１】
【発明の属する技術分野】
本発明は、自動販売機内部の商品や金銭が盗難に逢うことを防止するための盗難防止装置と、この盗難防止装置が組み込まれた自動販売機に関する。
【０００２】
【従来の技術】
飲料等を販売する自動販売機、とりわけ、屋外に設置された自動販売機は、ロックがかかっているドアがバールによって無理矢理こじ開けられて内部の商品や金銭が盗難に逢う頻度が高い。
【０００３】
キャビネット前面に開閉可能なドアを有する自動販売機は、一般に、ドアの一側部がキャビネットの一側部に回転自在に支持されドアの他側部がキャビネットの他側部にロック機構を介してロックされる構造を備える。
【０００４】
そのため、自動販売機内部の商品や金銭を盗もうとする窃取者は、ドアを強制開放するために、まず、キャビネットとドアのロック機構側の境界にバールを差し込んで隙間を拡げてロック機構の位置を探し出し、次に、前記隙間のロック機構近傍位置にバールを深く差し込んで隙間をさらに拡げる作業を繰り返して最終的にロック機構を破壊する手順を取る。
【０００５】
このような盗難が防止できない理由の１つには、窃取行為に伴うドアの強制開放が比較的短い時間、具体的には１人で約５分で終了してしまうことにある。つまり、近隣者や警察官等の第３者が現場に駆けつけても事は既に終了していて当事者も現場にいないことが多いため、窃取者の身柄を窃取行為中に拘束することは極めて困難で、窃取者を追跡することも難しい。
【０００６】
このため、最近では、窃取行為に伴うドアの強制開放になるべく時間がかかるようにして窃取行為を発見し易くするために、キャビネットとドアのロック機構側の境界を覆うカバー部をドアまたはキャビネットに取り付け、このカバー部によって前記境界にバールを差し込み難くする工夫を施した自動販売機も存在する。
【０００７】
【従来の技術】
【０００８】
【特許文献１】
特開平８−９３３２４号公報
【０００９】
【発明が解決しようとする課題】
しかし、キャビネットとドアのロック機構側の境界を覆うカバー部をドアまたはキャビネットに取り付けても、カバー部とドア側面の隙間またはカバー部とキャビネット側面との隙間にバールを差し込んでカバー部を変形させれば、前記と同様の手順でドアを強制開放することができることから、カバー部によって前記窃取行為に要する時間を増加させる効果はさほど期待できない。実際上、カバー部を有する自動販売機でもカバー部を有しない自動販売機と同様に盗難に遭う頻度は依然として高い。
【００１０】
本発明は前記事情に鑑みて創作されたもので、その目的とするところは、優れた盗難防止効果を得ることができる自動販売機の盗難防止装置と、この盗難防止装置を備えた自動販売機を提供することにある。
【００１１】
【課題を解決するための手段】
前記目的を達成するため、本発明に係る盗難防止装置は、ドアの一側部がキャビネットの一側部に回転自在に支持されドアの他側部がキャビネットの他側部にロック機構を介してロックされる構造を備える自動販売機に用いられる盗難防止装置であって、ドアとキャビネットの一方に取り付けられキャビネットとドアのロック機構側の境界を覆うカバー部と、カバー部の内側に設けられカバー部の外側変形により起立可能な係止板と、ドアとキャビネットの他方に設けられ起立した係止板に係合可能な被係止部とを有する、ことをその主たる特徴とする。
【００１２】
また、本発明に係る自動販売機は、ドアの一側部がキャビネットの一側部に回転自在に支持されドアの他側部がキャビネットの他側部にロック機構を介してロックされる構造を備え、ドアの強制開放を妨げ得る盗難防止装置を備えた自動販売機であって、前記盗難防止装置は、ドアとキャビネットの一方に取り付けられキャビネットとドアのロック機構側の境界を覆うカバー部と、カバー部の内側に設けられカバー部の外側変形により起立可能な係止板と、ドアとキャビネットの他方に設けられ起立した係止板に係合可能な被係止部とを有する、ことをその主たる特徴とする。
【００１３】
前記の盗難防止装置及びこれが備える自動販売機によれば、バールによりカバー部の一部の外側変形を変形させると、カバー部内側に設けられた係止板が定常位置から起立して被係止部に係合可能な状態となるように構成されている。
【００１４】
つまり、窃取行為に際してドアを強制開放するには、ロック機構を破壊する労力に加えて被係止部と係止部の何れか一方を破壊する労力が必要となるため、ロック機構のみを破壊すればよい従来の自動販売機に比べてドアの強制開放に要する時間が極めて長いものとなる。依って、窃取行為に伴うドアの強制開放になるべく多くの時間がかかるようにすることができ、この時間増加によって第３者が窃取行為を発見する機会を増すことができると共に、窃取者に対し時間的な制約を課すことで恐怖心を与えて盗難の発生頻度を低減することができる。
【００１５】
本発明の前記目的とそれ以外の目的と、構成特徴と、作用効果は、以下の説明と添付図面によって明らかとなる。
【００１６】
【発明の実施の形態】
図１〜図５は本発明の一実施形態を示すもので、以下の説明では図１の手前側を前、後側を後、左側を左、右側を右と表記する。
【００１７】
図１は後述する盗難防止装置が組み込まれた自動販売機を示すものである。
【００１８】
この自動販売機は、前面を開口した箱形のキャビネット１と、キャビネット１の前面開口を開閉自在に覆うドア２とを備える。ドア１はその幅方向左端部を、キャビネット１の上面左側に設けられたブラケット３と下側張出部分１ａに回転自在に支持されている。
【００１９】
図示を省略していあるが、キャビネット１内にはサブドアを有する断熱性の庫室が設けられ、この庫室内にはサーペンタインタイプ或いは他のタイプの商品コラムが前後左右に複数個配置され、各商品コラムの下部には商品搬出機が設けられている。また、各商品コラムの下側には商品搬出機から搬出された商品をドア２の商品販売口１６に導く傾斜案内板が設けられ、サブドアには搬出商品の通過を許容するフラップドアが設けられている。さらに、庫室内には収納商品の冷却或いは加温を適宜行うための蒸発器，ヒータ及び送風機が設けられ、キャビネット１の下部に設けられた機械室内には前記蒸発器と共に冷凍ユニットを構成する圧縮機や凝縮器等が収容されている。
【００２０】
ドア２前面の上部にはガラスや透明樹脂等から成る透明板４が設けられ、その裏側にはサンプル室（符号無し）が設けられている。サンプル室内には複数のサンプル載置台５が設けられ、各々の上には複数の商品サンプル６が交換可能に載置されている。透明板５の前面には各商品サンプル６に対応した商品選択ボタン７が設けられている。
【００２１】
また、ドア２前面の透明板４の左下側にはガラスや透明樹脂等から成る透明板８が設けられ、その裏側には広告室（符号無し）が設けられている。広告室内にはポスター等の広告媒体９が交換可能に取り付けられている。
【００２２】
さらに、ドア２前面の透明板４の右下側には、操作レバー１０と、金銭投入口１１と、返却レバー１２と、表示部１３と、紙幣投入口１４と、金銭返却口１５が設けられている。操作レバー１０はドア２の内側に設けられた後述のロックピンを動作するためのもので、専用キーによる操作によって使用可能な状態となる。さらに、ドア２前面の下部には商品販売口１６が設けられている。
【００２３】
図２（Ａ），図２（Ｂ）及び図３は図１に示した自動販売機に組み込まれた盗難防止装置を示すものである。
【００２４】
キャビネット１の前面右側部には、キャビネット１の外表面を構成する金属製の板材１７の端縁を９０度屈曲して形成した第１平板部１７ａとさらに９０度屈曲して形成した第２平板部１７ｂが、上下方向に連続して設けられている。
【００２５】
また、板材１７の内側には板材１７に沿うようにして金属製の補強板１８が配されていて、この補強板１８の前端屈曲部１８ａは第１平板部１７ａ及び第２平板部１７ｂにより構成された凹部に嵌め込まれた状態となっている。板材１７の第２平板部１７ｂの前後長さは補強板１８の前端屈曲部１８ａの厚みよりも大きく、補強板１８の前端屈曲部１８ａよりも後方に突出した第２平板部１７ｂの一部は後述する係止板２３の係止部２３ｄが係合可能な被係止部１７ｃを構成している。
【００２６】
さらに、キャビネット１の内側には金属製のロックアーム１９の後部が溶接またはネジ止め等の手法により取り付けられ、このロックアーム１９の前部は板材１７と補強板１８の間から第２平板部１７ｂに内側を通るようにしてキャビネット１の前面開口よりも前方に突出している。
【００２７】
一方、ドア２の後面右側部には、ドア２の外表面を構成する金属製の板材２０の端縁を９０度屈曲して形成した第１平板部２０ａとさらに９０度屈曲して形成した第２平板部２０ｂが、上下方向に連続して設けられている。
【００２８】
また、板材２０の内側には、横断面が略Ｌ字形を成す金属製の補強板２１が、上下方向に連続して設けられている。この補強板２１は板材２０の第１平板部２０ａと平行な第１平板部２１ａと、第１平板部２１ａの右端から９０度屈曲して前方に伸びる第２平板部２１ｂと、第１平板部２１ａの左端から９０度屈曲して後方に伸びる第３平板部２１ｃと、第３平板部２１ｃの後端から９０度屈曲して右方に伸びる第４平板部２１ｄと、第４平板部２１ｄの右端から９０度屈曲して前方に伸びる第５平板部２１ｅとを備え、第１平板部２１ｂの後面大半と第２平板部２１ｂの右面全部が板材２０に接合するように溶接またはネジ止め等の手法によって固定されている。
【００２９】
また、板材２０の第１平板部２０ａの後側には、横断面が略コ字形を成す金属製のカバー板２２が、上下方向に連続して設けられている。このカバー板２２は板材１７の第１平板部１７ａと平行な第１平板部２２ａと、第１平板部２２ａの右端から９０度屈曲して後方に伸びる第２平板部２２ｂ（以下カバー部２２ｂと言う）と、第１平板部２２ａの左端から９０度屈曲して後方に伸びる第３平板部２２ｃとを備え、第１平板部２２ａの前面大半と第３平板部２２ｃの左面全部が板材２０と接合するように溶接またはネジ止め等の手法によって固定されている。
【００３０】
さらに、板材２０の第１平板部２０ａと補強板２１の第１平板部２１ａとカバー板２２の第１平板部２２ａには、ドア２を閉塞したときにキャビネット１の前面開口から前方に突出したロックアーム１９の一部が挿入される孔２０ｃ，２１ｆ，２２ｄが形成されている。
【００３１】
尚、ドア２の内側には、孔２０ｃ，２１ｆ，２２ｄに挿入されたロックアーム１９を係止するロックピンが設けられているが、図２（Ａ）及び図２（Ｂ）ではロックピンの図示を省略してある。因みに、本実施形態で前記のロックアーム１９，ロックピン及び操作レバー１０を含む機構をロック機構と称している。
【００３２】
さらに、カバー板２２の第１平板部２２ａの後側には、ロック機構に近接するようにして、横断面が略Ｌ字形を成す金属製の係止板２３が設けられている。この係止板２３は、図３にも示すように、カバー板２２のカバー部２２ｂと平行な第１平板部２３ａと、第１平板部２３ａの後端から９０度より大きく屈曲して左方に伸びる第２平板部２３ｂと、第２平板部２３ｂの左端から９０度より小さく屈曲して後方に伸びる第３平板部２３ｃと、第３平板部２３ｃの後端から９０度より大きく屈曲して前方に伸びる第４平板部２３ｄ（以下係止部２３ｄと言う）とを備え、第１平板部２３ａの右面全部がカバー板２２に接合するように溶接またはネジ止め等の手法によって固定されている。この固定状態では係止板２３の第２平板部２３ｂと第３平板部２３ｃとの境目にある角部がカバー板２２の第１平板部２２ａに接しているが、係止板２３はその第１平板部２３ａのみがカバー板２２に固定されているだけであるので他の部分は力を加えることで動かすことが可能な状態にある。また、係止板２３の上下方向中央には、図３に示すように、第２平板部２３ｂから係止部２３ｄに至るスリット２３ｅが形成されている。このスリット２３ｅは、キャビネット１の前面開口から前方に突出したロックアーム１９の一部がドア２を開閉するときに通過するスペースとして利用される。
【００３３】
ドア２を閉塞した状態では、図２（Ａ）に示すように、キャビネット１の前面開口から前方に突出したロックアーム１９の一部が、係止板２３のスリット２３ｅを通じて、ドア２側の板材２０の第１平板部２０ａと補強板２１の第１平板部２１ａとカバー板２２の第１平板部２２ａの孔２０ｃ，２１ｆ，２２ｄに挿入されると共に、キャビネット１の前面右側部がドア２側のカバー板２２の内側に干渉せずに入り込む。
【００３４】
図示を省略したが、キャビネット１側の板材１７の平板部１７ａと向き合うドア２側のカバー板２２の第１平板部２２ａの後面及び係止板２３の第２平板部２３ｂの後面のうち、少なくともカバー板２２の第１平板部２２ａの後面には合成ゴム製のパッキンが設けられているため、図２（Ａ）においてキャビネット１側の板材１７の第１平板部１７ａとドア２側のカバー板２２の第１平板部２２ａとの間に存する隙間はパッキンによって封止されている。また、この隙間の前後方向寸法よりもカバー板２２のカバー部２２ｂの前後方向寸法が大きいため、キャビネット１とドア２のロック機構側の境界はカバー板２２のカバー部２２ｂによって覆われる。
【００３５】
そして、ドア２を閉塞した状態で、ドア２前面の操作レバー１０を用いて図示省略のロックピンを動作させてロックアーム１９に係止すれば、ドア２はロック機構を介してキャビネット１にロックされて閉塞状態に保たれる。
【００３６】
前述の自動販売機に対し、バールを利用して内部の商品や金銭を盗もうとする窃取者は、下記（１）〜（３）の手順にてドア２を強制開放しようとする。
（１）まず、キャビネット２の右側面とカバー部２２ｂとの間に存する上下方向に連続した隙間のうち、ドア２前面の操作レバー１０と高さ位置がほぼ同じ部分にバールＣＢを差し込み、カバー部２２ｂの一部を外側に変形させて隙間を拡げて、カバー部２２ｂによって覆われたキャビネット１とドア２のロック機構側の境界を露出させる（図４参照）。
（２）次に、カバー部２２ｂの一部変形によって露出したキャビネット１とドア２のロック機構側の境界にバールＣＢを差し込みんで隙間を拡げると共に、カバー部２２ｂの一部をさらに外側に変形させてロック機構の位置を探し出す（図５参照）。
（３）次に、前記隙間のロック機構近傍位置にバールＣＢを深く差し込んで隙間をさらに拡げる作業を繰り返して最終的にロック機構を破壊する。
【００３７】
しかし、前述の自動販売機にあっては、前記（１）の過程で、カバー部２２ｂの一部の外側変形に伴って、カバー部２２ｂに第１平板部２３ａのみが固定されている係止板２３が定常位置から後方に起立し、係止部２３ｄが被係止部１７ｃの後側に入り込むことになる（図４参照）。また、前記（２）の過程で、カバー部２２ｂの一部がさらに外側に変形するため、起立した係止板２３の係止部２３ｄが被係止部１７ｃの後側にさらに深く入り込むことになる（図５参照）。さらに、前記（３）の過程で、被係止部１７ｃの後側に入り込んだ係止板２３の係止部２３ｄが、被係止部１７ｃに係合することになる。
【００３８】
つまり、図５の状態からドア２を強制開放するには、ロックアーム１９とロックピンとの係止が解かれるようにロック機構を破壊し、且つ、被係止部１７ｃと係止部２３ｄとの係合が解かれるように被係止部１７ｃと係止部２３ｄの何れか一方を破壊する必要がある。
【００３９】
要するに、前述の自動販売機のドア２を強制開放するには、下記（ａ）〜（ｃ）の時間が必要となる。
（ａ）カバー部２２ｂを外側に変形させてカバー部２２ｂによって覆われたキャビネット１とドア２のロック機構側の境界を露出させるための時間
（ｂ）カバー部２２ｂの一部変形によって露出したキャビネット１とドア２の隙間にバールＣＢを差し込みんで隙間を拡げるための時間
（ｃ）前記隙間のロック機構近傍位置にバールＣＢを深く差し込んで隙間をさらに拡げる作業を繰り返して、ロック機構を破壊し、且つ、被係止部１７ｃと係止部２３ｄの何れか一方を破壊する時間
前記（ａ）及び（ｂ）に要する時間は、カバー部２２ａと同様のカバー部を有する従来の自動販売機と同じである。しかし、前記（ｃ）に要する時間は、ロック機構を破壊する労力に加えて被係止部１７ｃと係止部２３ｄの何れか一方を破壊する労力が必要となるため、ロック機構のみを破壊すればよい従来の自動販売機に比べて極めて長いものとなる。
【００４０】
因みに、カバー部を有する従来の自動販売機と前述の自動販売機に対して窃取行為と同じようなドア強制開放作業を実験したところ、従来の自動販売機のドア強制開放に要する時間は１人で約５分であり、前述の自動販売機のドア強制開放に要する時間は１人で約１７分であった。
【００４１】
このように、前述の自動販売機及びこの自動販売機に組み込まれた盗難防止装置によれば、窃取行為に伴うドア２の強制開放になるべく多くの時間がかかるようにすることができ、この時間増加によって第３者が窃取行為を発見する機会を増すことができると共に、窃取者に対し時間的な制約を課すことで恐怖心を与えて盗難の発生頻度を低減することができる。
【００４２】
尚、図１〜図５に示した実施形態では、ドア２を開閉するときにロックアーム１９を通過させるためのスリット２３ｅを上下方向中央に有するものを係止板２３として示したが、図６に示すようなスリットを有しない係止板２３’を１個或いは２個以上、ロック機構の近傍位置に設けるようにしてもよい。
【００４３】
また、図１〜図５に示した実施形態では、ロック機構の近傍位置に係止板２３を設けたものを示したが、図６に示した係止板２３’をカバー部２２ｂの内側全域または全域よりも狭い範囲に上下方向に間隔をおいて複数個設けるようにしてもよい。勿論、図３に示した係止板２３よりも上下寸法が大きな縦長の係止板を用意してこれをカバー部２２ｂの内側に設けるようにしてもよい。
【００４４】
さらに、図１〜図５に示した実施形態では、キャビネット１の外表面を構成する板材１７に被係止部１７ｃを設けたものを示したが、図７に示すように、板材１７の内側に配された補強板１８に前端屈曲部１８ａの左端から後方に延びる部分を設けて、同部分を被係止部１８ｂとして構成してもよい。この場合には符号１７ａで示す部位と符号１８ｂで示す部位の両方が被係止部となるため、被係止部自体の強度を高めることができる。勿論、板材１７の被係止部１７ｃを排除して、補強板１８の被係止部１８ｂのみで被係止部を構成するようにしてもよい。
【００４５】
さらに、図１〜図５に示した実施形態では、係止板２３として図２（Ａ）及び図３に示す形態のものを示したが、図８に示すように、カバー板２２のカバー部２２ｂと平行な第１平板部２３ａ’と、第１平板部２３ａ’の前端から９０度屈曲して左方に伸びる第２平板部２３ｂと、第２平板部２３ｂの左端から９０度屈曲して後方に伸びる第３平板部２３ｃと、第３平板部２３ｃの後端から９０度より大きく屈曲して前方に伸びる係止部２３ｄとを備えたものを係止板２３として用い、この係止板２３の第１平板部２３ａ’の右面全部がカバー板２２に接合するように溶接またはネジ止め等の手法によって固定するようにしても前記同様の作用効果を得ることができる。勿論、図８に示した係止板２３は、図６に示した係止板２３’と同様にスリットを有しない形態であってもよい。
【００４６】
さらに、図１〜図５に示した実施形態では、係止板２３の端部に設けられたＶ字状の屈曲部分を係止部２３ｄとしたものを示したが、係止板２３の端部にコ字状の屈曲部分を設けてこれを係止部としても構わない。要するに、係止板２３の係止部２３ｄの形状は、先に述べた被係止部（符号１７ｃと１８ｂの少なくとも一方）に係合可能なものでれば特段の制限はない。
【００４７】
さらに、図１〜図５に示した実施形態では、ドア２側にカバー部２２ｂを設け、且つ、キャビネット１側に被係止部１７ｃを設けたものを示したが、ドア２側に被係止部に相当する部品を設け、且つ、キャビネット１側にカバー部に相当する部品を設けても図１〜図５に示した実施形態と同様の作用効果を得ることができる。
【００４８】
【発明の効果】
以上詳述したように、本発明に係る盗難防止装置及びこれを備えた自動販売機によれば、窃取行為に伴うドアの強制開放になるべく多くの時間がかかるようにすることができ、この時間増加によって第３者が窃取行為を発見する機会を増すことができると共に、窃取者に対し時間的な制約を課すことで恐怖心を与えて盗難の発生頻度を低減することができる。
【図面の簡単な説明】
【図１】本発明を適用した自動販売機の斜視図
【図２】図１のＡ部横断面図と、図２におけるドア側とキャビネット側を引き離した図
【図３】図２に示した係止板の斜視図
【図４】盗難防止装置の作用を示す図
【図５】盗難防止装置の作用を示す図
【図６】係止板の変形例を示す斜視図
【図７】被係止部の変形例を示す部分横断面図
【図８】係止板の他の変形例を示す部分横断面図
【符号の説明】
１…キャビネット、２…ドア、１７…板材、１７ｃ…被係止部、１８…補強板、１８ｂ…被係止部、１９…ロックアーム、２２…カバー板、２２ｂ…カバー部、２３，２３’…係止板、２３ｄ…係止部。
【図１】
2004258753.tif 000003
【図２】
2004258753.tif 000004
【図３】
2004258753.tif 000005
【図４】
2004258753.tif 000006
【図５】
2004258753.tif 000007
【図６】
2004258753.tif 000008
【図７】
2004258753.tif 000009
【図８】
2004258753.tif 000010